(57)【要約】【課題】特定方向の光の明暗を調節し、被検査物の検査目標をよりはっきりと際立たせ、被検査物上に汚れがあるか、瑕疵があるかの判断を容易にする調光可能な線形照明装置を提供すること。【解決手段】検査設備中に設置され、イメージセンサ２２で被検査物１のイメージをキャプチャできるように、被検査物１に対して光を照射するのに用いられ、円弧形のアーチ型を呈して被検査物１の上方に配置され、被検査物１に対して光線を投射する複数の線形光源３１と、各線形光源３１の輝度を調整する調光制御器３２とを備える。【選択図】図１
0003169520.tif 000002
【実用新案登録請求の範囲】
【請求項１】
検査設備中に設置され、イメージセンサで被検査物のイメージをキャプチャできるように、前記被検査物に対して光を照射する調光可能な線形照明装置であって、前記線形照明装置が、
円弧形のアーチ型を呈して前記被検査物の上方に配置され、前記被検査物に対して光線を投射する複数の線形光源と、
前記各線形光源の輝度を調整する調光制御器と、
を備えることを特徴とする、調光可能な線形照明装置。
【請求項２】
前記線形光源が、蛍光灯またはＬＥＤストリップライトのいずれかであることを特徴とする、請求項１に記載の調光可能な線形照明装置。
【請求項３】
前記調光制御器が、それぞれ前記各線形光源に対応して、各線形光源の輝度を調整する複数の電流制御装置を有することを特徴とする、請求項１に記載の調光可能な線形照明装置。
【請求項４】
前記被検査物と前記線形光源の間に介在され、前記線形光源から投射される光線を均一に拡散してから前記被検査物に照射する光拡散部材を有することを特徴とする、請求項１に記載の調光可能な線形照明装置。
【請求項５】
前記イメージセンサの検査方向と同軸の光を発生し、前記イメージセンサの方向から照射される光を増加する補光装置を有することを特徴とする、請求項１に記載の調光可能な線形照明装置。
【請求項６】
前記補光装置が、
線形光源と、
前記イメージセンサがイメージをキャプチャする経路中に設置され、前記補光装置の線形光源が発生する光線を反射してから前記被検査物に照射し、且つ前記イメージセンサの検査方向と同じ方向の照射光を形成するビームスプリッタと、
を備えることを特徴とする、請求項５に記載の調光可能な線形照明装置。
【請求項７】
前記補光装置の線形光源が、蛍光灯またはＬＥＤストリップライトのいずれかであることを特徴とする、請求項６に記載の調光可能な線形照明装置。
【考案の詳細な説明】
【技術分野】
【０００１】
本考案は、検査設備中に設置され、被検査物の材質、形状、表面の凹凸状態、反射程度等に応じて輝度を調節することで、被検査物の検査目標を際立たせたり、被検査物上の瑕疵や汚れ等の問題を目立たせることができる、調光可能な線形照明装置に関する。
【背景技術】
【０００２】
従来、検査設備に応用される照明装置は、ほとんどが光を直接被検査物に照射して、被検査物上の被検査目標を際立たせている。しかし、例えば、印刷品については、印刷品表面の凹凸の検査、ホットスタンプラベルの検査、箔押しラベルの検査等、印刷品の特殊な検査には、方向性のある光源の照明装置を採用しなければこれら検査目標を際立たせることができない。
【０００３】
印刷品のさまざまな異なる検査目標またはニーズに対応する際、方向が単一な光を照射する照明装置では多様な検査用照明ニーズを満たすことができないため、異なるニーズに合わせて適時に異なる方向性の照明機能を持つ照明装置に交換する必要がある。しかしながら、このような照明装置の交換という方法は非常に手間と時間がかかる。
【考案の概要】
【考案が解決しようとする課題】
【０００４】
本考案が解決しようとする課題は、検査設備に応用され、被検査物の材質、形状、表面の凹凸状態、反射程度に応じて、輝度を調整できて、特定方向の光の明暗を調節し、被検査物の検査目標をよりはっきりと際立たせ、被検査物上に汚れがあるか、あるいは、瑕疵があるかの判断を容易にする、調光可能な線形照明装置を提供することにある。
【課題を解決するための手段】
【０００５】
本考案は、検査設備中に設置され、イメージセンサで被検査物のイメージをキャプチャできるように、前記被検査物に対して光を照射する調光可能な線形照明装置に関し、円弧形のアーチ型を呈して前記被検査物の上方に配置され、前記被検査物に対して光線を投射する複数の線形光源と、前記各線形光源の輝度を調整する調光制御器とを備えることを特徴とする。
【０００６】
前記線形光源は、蛍光灯またはＬＥＤストリップライトのいずれかとすることができる。
前記調光制御器が、それぞれ前記各線形光源に対応して、各線形光源の輝度を調整する複数の電流制御装置を有してもよい。
前記被検査物と前記線形光源の間に介在され、前記線形光源から投射される光線を均一に拡散してから前記被検査物に照射する光拡散部材を設けてもよい。
【０００７】
前記イメージセンサの検査方向と同軸の光を発生し、前記イメージセンサの方向から照射される光を増加する補光装置を有すると良い。
前記補光装置は、線形光源と、前記イメージセンサがイメージをキャプチャする経路中に設置され、前記補光装置の線形光源が発生する光線を反射してから前記被検査物に照射し、且つ前記イメージセンサの検査方向と同じ方向の照射光を形成するビームスプリッタとを備えることがある。
前記補光装置の線形光源は、蛍光灯またはＬＥＤストリップライトのいずれかとすることができる。
【考案の効果】
【０００８】
本考案によれば、被検査物の材質、形状、表面の凹凸状態、反射程度等に応じて、調光制御器により特定の線形光源に対して輝度の調整を行ない、特定方向の光の明暗を調節して、被検査物の検査目標を際立たせ、且つ被検査物上の瑕疵や汚れ等の問題を目立たせて検査上のニーズを満たすことができる。
【図面の簡単な説明】
【０００９】
【図１】本考案の実施例１に係る検査設備の斜視図である。
【図２】本考案の実施例１に係る検査設備の側面図である。
【図３】本考案の実施例１を示す調光可能な線形照明装置のブロック図である。
【図４】本考案の実施例２に係る検査設備の側面図である。
【考案を実施するための形態】
【００１０】
以下、本考案の実施例を図面に基づいて詳細に説明する。
図１〜図３は本考案の実施例１を示す。
図１及び図２は、それぞれ本考案の調光可能な線形照明装置を有する検査設備の斜視図及び側面図である。
図１及び図２に示すように、検査設備には、被検査物１を置くための検査台２が設けられ、検査台２上に検査区域２１が設定され、検査区域２１の上方に検査区域２１のイメージをキャプチャするためのイメージセンサ２２が設置される。
【００１１】
本考案の調光可能な線形照明装置３は、検査台２の検査区域２１の上方に設置され、イメージセンサ２２が被検査物１のイメージをキャプチャするときに必要な照明を提供するために用いられる。
調光可能な線形照明装置３は、円弧形のアーチ型を呈して検査区域２１の上方に配置され、検査区域２１上の被検査物１に光線を投射するために用いられる複数の線形光源３１と、有線または無線送信で各線形光源３１に対して輝度の調整を行うことができる調光制御器３２を含む。
【００１２】
線形光源３１は、検査区域２１を中心として、円弧形のアーチ型を呈して検査区域２１の上方に分布設置されるため、検査区域２１に対して全面的且つ死角のない光を照射することができる。
なお、線形光源３１の設置数量は限定されず、必要に応じて配置数量と、例えば蛍光灯または複数のＬＥＤランプから構成されるＬＥＤストリップライトなどの光源の種類を決定することができる。
【００１３】
調光制御器３２は個別の線形光源３１に対して光の強度の調整をそれぞれ行うことができる。
図３に示すように、調光制御器３２は、異なる線形光源３１にそれぞれ電気的に接続された複数の電流制御装置３２１を有し、これにより、特定の線形光源３１に対してそれに接続された電流制御装置３２１によって電流の出力の大きさを調整し、線形光源３１の発射する光の強度を制御して、明暗の変化を得ることができる。
【００１４】
また、本考案の調光可能な線形照明装置３は補光装置５を備えることもある（図１及び図２参照）。
補光装置５は、イメージセンサ２２の検査方向と同軸の光（図中に破線で示す）を照射し、イメージセンサ２２の方向から照射される光を増加することができる。
具体的には、補光装置５は線形光源５１とビームスプリッタ５２から成る。ビームスプリッタ５２は、イメージセンサ２２がイメージをキャプチャする経路中に設置され、線形光源５１の発生する光線が反射された後で被検査物１上に入射し、イメージセンサ２２の検査方向と同じ方向の照射光を形成して、イメージセンサ２２の方向からくる光を増加するために用いられる。
【００１５】
線形光源５１は、蛍光灯または複数のＬＥＤランプから構成されるＬＥＤストリップライトとすることができるが、これらに限定されない。
図３に示すように、調光制御器３２中に、線形光源５１と電気的に接続された電流制御装置３２２が設けられ、線形光源５１も電流制御装置３２２によって電流出力の大きさを調整し、線形光源５１の発射する光の強度を制御することができる。
【００１６】
図４は、本考案の実施例２を示す。
実施例２では、被検査物１と線形光源３１の間に光拡散部材４を介在し、線形光源３１から投射される光線を均一に拡散させた後で被検査物１に投射させることができる。
光拡散部材４は、断面が円弧形のアーチ型を呈したカバー体であり、光拡散媒体より成る。
光拡散部材４は被検査物１と線形光源３１の間に設置されているため、線形光源３１から光拡散部材４に向かって投射される光線が光拡散部材４を通過するときに拡散され、被検査物１に照射される光線を均一にかつ柔らかくすることができる。
【００１７】
本考案の調光可能な線形照明装置の線形光源(補光装置５中の線形光源５１を含む)は皆個別に光の強度を調整でき、任意の角度の方向の光を発生するために用いることができる。その目的は、検査設備に応用したとき、被検査物そのものの材質、形状、表面の凹凸状態、反射程度に応じて、特定の線形光源に対して輝度の調整を実施することで、被検査物の検査目標を際立たせたり、被検査物上の瑕疵や汚れ等の問題を際立たせ、検査判断上の各種ニーズを満たすことができるようにすることにある。
例えば、被検査物上に突出した部位がある場合、方向性を備えた光源で突出した部位の背景箇所に陰影を形成し、この陰影を利用して突出した部位の位置または高さの判別を行うことができる。ここから分かるように、本考案の調光可能な線形照明装置は異なる材質、形状、凹凸、反射程度の被検査物等に用いて鑑別を行うことができる。
【００１８】
以上の説明は本考案の最良の実施例に基づいたものであり、本考案の実施範囲を限定するものではなく、本考案の実用新案登録請求の範囲を逸脱しない変化や修飾はすべて本考案の権利範囲に含まれる。
【符号の説明】
【００１９】
１      被検査物
２      検査台
２１    検査区域
２２    イメージセンサ
３      調光可能な線形照明装置
３１    線形光源
３２    調光制御器
３２１  電流制御装置
３２２  電流制御装置
４      光拡散部材
５      補光装置
５１    線形光源
５２    ビームスプリッタ
【図１】
0003169520.tif 000003
【図２】
0003169520.tif 000004
【図３】
0003169520.tif 000005
【図４】
0003169520.tif 000006